(57)【特許請求の範囲】
【請求項１】
吸込口と排出口とを有するフードと、
前記フード内に、電動機に結合した複数のブレードを有した遠心ファンと、
排水口を有した前記遠心ファンを囲むケーシングと、
給水トレイと排水トレイとを前記フードの操作部の対向する奥側の下部に設けたレンジフードにおいて、
前記給水トレイと排水トレイとを乗せるトレイボックスと、
前記トレイボックスに設けた係合部と、
前記フードの内部に前記係合部を誘導する２個の円筒状の回転体である誘導部と、
前記誘導部を固定する回転体固定部と、を設け、
前記係合部は、
長孔とし、
前記長孔は、
直線部に内側に向かってフランジを設け、
前記回転体固定部は、
誘導部保持部材を介して前記フードに取り付けられ、
前記誘導部は、
前記２個の円筒状の回転体を、前記回転体固定部の長孔方向に、前記回転体固定部の上端側と下端側とに離して固定し、前記長孔に挿入されたことを特徴とするレンジフード。
【請求項２】
前記トレイボックスに、後ろより前を低くした柵を設けたことを特徴とする請求項１に記載のレンジフード。
【発明の詳細な説明】
【技術分野】
【０００１】
本発明は、レンジフードに関するものである。
【背景技術】
【０００２】
従来、洗浄機能付レンジフードは、ファンを洗浄するための貯水部を設けたものが知られている（例えば、特許文献１参照）。
【０００３】
以下、そのレンジフードについて図７を参照しながら説明する。
【０００４】
図に示すように、厨房器具１０１の上方に、吸込口１０２と排出口１０３とを有するフード１０４と、フード１０４の排出口１０３付近に電動機１０５に結合した複数のブレード１０６を有した遠心ファン１０７とをフード１０４の内部に備えている。
【０００５】
そして、遠心ファン１０７の内部は、油を付着させる油捕集部１０８を設けている。
【０００６】
そして、洗浄水を供給する貯水部１０９は、排気箱板１１０の下部に設けている。
【０００７】
また、洗浄後の排水を保管する吐水保管部１１１は、吐水孔１１２を設けたケーシング１１３の下方に設けている。
【先行技術文献】
【特許文献】
【０００８】
【特許文献１】特開２０１３−１４８２６９号公報
【発明の概要】
【発明が解決しようとする課題】
【０００９】
このような従来のレンジフードにおいては、貯水部１０９および吐水保管部１１１は、上方に設けているフード１０４を構成している吸込箱板１１４の操作部（図示せず）に対向する奥側に、蓋（図示しない）を開けてから引っ掛けて設置している。また、貯水部１０９のフード１０４の内部の設置する場所が高い位置にあるので、貯水部１０９の設置および取り外しを容易にすることが望まれている、という課題を有していた。
【００１０】
そこで、本発明は、上記従来の課題を解決するものであり、貯水部である給水トレイおよび吐水保管部である排水トレイを、フード内への設置および取り外しが容易にすることができるレンジフードを提供することを目的とする。
【課題を解決するための手段】
【００１１】
そして、この目的を達成するために、本手段は、吸込口と排出口とを有するフードと、前記フード内に、電動機に結合した複数のブレードを有した遠心ファンと、排水口を有した前記遠心ファンを囲むケーシングと、給水トレイと排水トレイとを前記フードの操作部の対向する奥側の下部に設けたレンジフードにおいて、前記給水トレイと排水トレイとを乗せるトレイボックスと、前記トレイボックスに設けた係合部と、前記フードの内部に前記係合部を誘導する２個の円筒状の回転体である誘導部と、前記誘導部を固定する回転体固定部と、を設け、前記係合部は、長孔とし、前記長孔は、直線部に内側に向かってフランジを設け、前記回転体固定部は、誘導部保持部材を介して前記フードに取り付けられ、前記誘導部は、前記２個の円筒状の回転体を、前記回転体固定部の長孔方向に、前記回転体固定部の上端側と下端側とに離して固定し、前記長孔に挿入されたものであり、これにより所期の目的を達成するものである。
【発明の効果】
【００１２】
本発明によれば、吸込口と排出口とを有するフードと、前記フード内に、電動機に結合した複数のブレードを有した遠心ファンと、排水口を有した前記遠心ファンを囲むケーシングと、給水トレイと排水トレイとを前記フードの操作部の対向する奥側の下部に設けたレンジフードにおいて、前記給水トレイと排水トレイとを乗せるトレイボックスと、前記トレイボックスに設けた係合部と、前記フードの内部に前記係合部を誘導する２個の円筒状の回転体である誘導部と、前記誘導部を固定する回転体固定部と、を設け、前記係合部は、長孔とし、前記長孔は、直線部に内側に向かってフランジを設け、前記回転体固定部は、誘導部保持部材を介して前記フードに取り付けられ、前記誘導部は、前記２個の円筒状の回転体を、前記回転体固定部の長孔方向に、前記回転体固定部の上端側と下端側とに離して固定し、前記長孔に挿入された、という構成にしたことにより、前記トレイボックスの係合部を誘導部に係合させ、トレイボックスを上下に移動させることとなるので、貯水部である給水トレイおよび吐水保管部である排水トレイを、フード内への設置および取り外しが容易にできる、という効果を得ることができる。
【図面の簡単な説明】
【００１３】
【図１】本発明の実施の形態１のレンジフードを設置した状態示す斜視図
【図２】同レンジフードの係合部を介して誘導部に結合させたトレイボックスの一部を示す斜視図
【図３】同レンジフードの係合部を介して誘導部に結合させた状態の一部を示す斜視図
【図４】同レンジフードのトレイボックスを示す詳細拡大図
【図５】本発明の実施の形態２のレンジフード設置した状態示す斜視図
【図６】同レンジフードの係合部を介して誘導部に結合させたトレイボックスの一部を示す斜視図
【図７】従来のレンジフードを示す側面構成図
【発明を実施するための形態】
【００１４】
本発明の請求項１記載のレンジフードは、吸込口と排出口とを有するフードと、前記フード内に、電動機に結合した複数のブレードを有した遠心ファンと、排水口を有した前記遠心ファンを囲むケーシングと、給水トレイと排水トレイとを前記フードの操作部の対向する奥側の下部に設けたレンジフードにおいて、前記給水トレイと排水トレイとを乗せるトレイボックスと、前記トレイボックスに設けた係合部を設け、前記フードの内部には前記係合部を誘導する誘導部を設け、前記トレイボックスは前記係合部を介して前記誘導部に結合させた、という構成を有する。これにより、トレイボックスの係合部を誘導部に係合させ、トレイボックスを上下に移動させることとなるので、貯水部である給水トレイおよび吐水保管部である排水トレイを、フード内への設置および取り外しが容易にできる、という効果を奏する。
【００１５】
また、前記係合部を長孔とし、前記誘導部を回転体とした、という構成にしてもよい。これにより、係合部である長孔に、誘導部である回転体を転がり接触により係合させ、トレイボックスを上下に移動させることとなるので、トレイボックスを少ない力でスムーズに上下に移動させることができる、という効果を奏する。
【００１６】
また、前記係合部をレールとし、前記誘導部をガイドとした、という構成にしてもよい。これにより、係合部と結合部を部品の安いレールとガイドのみの部品点数で構成することとなるので、安価に貯水部である給水トレイおよび吐水保管部である排水トレイを、フード内への設置および取り外しが容易にできる、という効果を奏する。
【００１７】
また、前記給水トレイの前後に、後ろより前を低くした柵を前記給水トレイボックスに設けた、という構成にしてもよい。これにより、給水トレイおよび排水トレイを低くした柵の前の上方から後ろの柵に当てて乗せることとなるので、トレイボックスに乗せる給水トレイおよび排水トレイの作業性および位置決めと安定性を向上させることができる、という効果を奏する。
【００１８】
以下、本発明の実施の形態について図面を参照しながら説明する。
【００１９】
（実施の形態１）
図１〜４に示すように、例えばガスコンロである厨房器具１の上方に、整流板２の周囲の吸込口３と排出口４とを有するフード５を、例えば吊り金具６を介して壁７にねじ（図示せず）にて取り付けている。
【００２０】
そして、フード５の排出口４の付近に、例えば風量制御しやすい直流式の電動機８にシャフト９を介して結合した、複数のブレード１０を有した遠心ファン１１を設けている。
【００２１】
そして、例えば、絞り加工で形成した円形状の排水口１２を有した遠心ファン１１を囲むようにケーシング１３をフード５内に設ける。
【００２２】
そして、蓋付き箱である給水トレイ１４と排水トレイ１５は、フード５の前方側の風量切換等を指示する操作部１６の対向する奥側、すなわち、壁７側の下部すなわち厨房器具１側に設けたものである。
【００２３】
そして、フード５には、給水トレイ１４と排水トレイ１５とを乗せる例えばお盆のようなトレイボックス１７を設ける。
【００２４】
そして、トレイボックス１７の例えば長手方向の両端のそれぞれおよび両端の間に係合部１８を設ける。また、フード５の内部には、係合部１８を誘導する誘導部１９を設けている誘導部保持部材３３を取り付け、そして、トレイボックス１７は係合部１８を介して誘導部１９に結合させる。
【００２５】
これにより、トレイボックス１７の係合部１８を誘導部１９に係合させて、トレイボックス１７を上下方向に移動させることで、給水トレイ１４および排水トレイ１５のフード５の内部への設置および取り外しを容易にすることができる。
【００２６】
また、係合部１８を長孔２０とし、そして、長孔２０の直線部２１には内側に向かってフランジ２２を設ける。そして、誘導部１９はトイレットペーパーの芯のような回転体２３の２個を長孔２０方向に回転体固定部３６内に最大限離して例えばねじで固定し、回転体固定部３６は、ねじで誘導部保持部材３３に固定するという形の構成とする。
【００２７】
これにより、係合部１８である長孔２０に誘導部１９である回転体２３を、僅かな隙間を介して挿入させ上下に移動させる。
【００２８】
よって、回転体２３が長孔２０に接触した場合でも、転がり接触により係合部１８と誘導部１９を係合させ、すなわち、係合部１８である長孔２０が、誘導部１９である回転体２３に接触させて、長孔２０が進む方向に回転するように回転体２３が回転するので、トレイボックス１７の係合部１８が誘導部１９内で傾かずに、少ない力でスムーズに上下方向に移動させることができる。
【００２９】
また、給水トレイ１４の前後に、後の壁７側より前方の操作部１６側を低くした板状の柵３４をトレイボックス１７の周りに設ける。
【００３０】
なお、「前後」方向とは、「前」が操作部１６側方向で、「後」は壁７側方向である。
【００３１】
これにより、給水トレイ１４および排水トレイ１５を、低い柵３４の前の上方から後ろの柵３４に当てながら降ろして乗せることとなるので、トレイボックス１７に乗せる給水トレイ１４および排水トレイ１５の作業性およびトレイボックス１７内への位置決めと安定性を向上させることができる。
【００３２】
（実施の形態２）
この実施の形態２での実施の形態１との違いは、係合部と誘導部との係合の仕方である。
【００３３】
図５、６に示すように、実施の形態１の係合部１８を、この実施の形態２では係合部２４であるレール２５とし、実施の形態１の誘導部１９を、この実施の形態２での誘導部２６であるガイド２７とする。
【００３４】
レール２５は、１枚の長方形の板金２８の上方を真上３５から見てコの字状になるように両側方を折り曲げ、下方を前記折り曲げ方向と同じ方向に折り曲げる固定フランジ２９で構成する。そして、固定フランジ２９は、トレイボックス３０にねじや溶接等で接合する。
【００３５】
ガイド２７は、１枚の長方形の板金３１の上方を真上３５から見てコの字状になるようにまずは両側方を折り曲げる。そして、垂直である９０°に外方向へ折り曲げる締結フランジ３２で構成する。そして、締結フランジ３２は誘導部保持部材３３にねじや溶接等で接合する。
【００３６】
これにより、実施の形態１の回転体２３に相当する誘導部２６は、折り曲げただけの板金に相当し、長孔２０に相当する係合部２４は、長孔２０である“孔”を形成する加工費が不要である。
【００３７】
これにより、係合部２４と誘導部２６を、部品のレール２５とガイド２７のみの部品点数で構成することとなるので、安価に給水トレイ１４および排水トレイ１５をフード５内への設置および取り外しが容易にできる。
【００３８】
なお、実施の形態１の「柵３４」は、この実施の形態２に同様に構成しても、その作用効果に差異はない。
【産業上の利用可能性】
【００３９】
本発明にかかるレンジフードは、給水トレイおよび排水トレイのフード内への設置および取り外しを容易にすることができることを可能とするものであるので、ウォールキャビネットユニットの引き出し等にも有用である。
【符号の説明】
【００４０】
１    厨房器具
２    整流板
３    吸込口
４    排出口
５    フード
６    吊り金具
７    壁
８    電動機
９    シャフト
１０    ブレード
１１    遠心ファン
１２    排水口
１３    ケーシング
１４    給水トレイ
１５    排水トレイ
１６    操作部
１７    トレイボックス
１８    係合部
１９    誘導部
２０    長孔
２１    直線部
２２    フランジ
２３    回転体
２４    係合部
２５    レール
２６    誘導部
２７    ガイド
２８    長方形の板金
２９    固定フランジ
３０    トレイボックス
３１    長方形の板金
３２    締結フランジ
３３    誘導部保持部材
３４    柵
３５    真上
３６    回転体固定部
【図１】
0006660523.tif 000002
【図２】
0006660523.tif 000003
【図３】
0006660523.tif 000004
【図４】
0006660523.tif 000005
【図５】
0006660523.tif 000006
【図６】
0006660523.tif 000007
【図７】
0006660523.tif 000008